(57)【特許請求の範囲】
【請求項１】
表袋シートと裏袋シートを備え内部が被収納物の収納空間となる袋本体と、前記袋本体に設けられた逆止弁とを備えた密閉用袋において、
前記表袋シートの下辺に沿って表弁シートが配置され、
前記裏袋シートの下辺に沿って裏弁シートが配置され、
前記表弁シートと前記裏弁シートは、前記表袋シート及び裏袋シートと同じ左右幅であって、それらの左右両辺及び下辺が前記表袋シートと前記裏袋シートと共に袋シールによって接合され、
前記逆止弁は、前記表弁シートと前記裏弁シートとの間に流体の流路となる弁通路を備えており、
前記弁通路の一端は前記袋本体の内部の収納空間へ開口した袋内開口となっており、前記弁通路の他端は前記袋本体の外部へ開口した袋外開口となっており、
前記逆止弁は、前記袋本体の下隅に配置されたものであって、弁シールによって前記弁通路の幅が規定されており、
前記袋本体を膨らませた状態で、前記逆止弁を構成する部分を除いて、前記表弁シートが前記表袋シートに沿うと共に前記裏弁シートが前記裏袋シートに沿って、前記表弁シートと前記裏弁シートとの間が広がることにより、前記逆止弁を構成する部分を除いた前記表弁シートと前記裏弁シートとの間も前記収納空間となるように構成され、
前記袋内開口の上方に規制シールを備え、
前記袋本体が膨らんだ状態で、前記規制シールによって、前記表弁シートと前記裏弁シートとの間の開きが抑制され、且つ、前記袋本体の底部が前後に幅の有る底状に変形するように構成されたことを特徴とする逆止弁付密閉用袋。
【請求項２】
前記弁シールは、前記表袋シートと前記裏袋シートと前記表弁シートと前記裏弁シートとの４枚をシールしたものであり、
前記弁シールは、第１弁シールと、前記第１弁シールとの間に前記弁通路となる間隔を隔てて配置された第２弁シールとを備え、
前記弁通路は、前記袋本体の外側へ開口した袋外開口を備えており、
前記表袋シートと前記裏袋シートと前記表弁シートと前記裏弁シートとの４枚のシートの左右辺及び下辺同士は、前記弁通路の下端の前記袋外開口を除いて前記袋シールによってシールされていることを特徴とする請求項１に記載の逆止弁付密閉用袋。
【請求項３】
前記表弁シートの上辺は、その全長に渡って前記表袋シートに対して表弁固定シールによって固定され、
前記裏弁シートの上辺は、その全長に渡って前記裏袋シートに対して裏弁固定シールによって固定され、
前記表弁シートの前記上辺と前記裏弁シートの前記上辺同士は、前記逆止弁の前記弁シール及び前記規制シールを除いてシールされていないことを特徴とする請求項２に記載の逆止弁付密閉用袋。
【請求項４】
前記袋シールは、前記袋本体の左右のサイドに沿って伸びるサイド袋シールと、前記袋本体の底に沿って伸びるボトム袋シールとを備え、
前記第１弁シールと前記第２弁シールとは、前記サイド袋シールと前記ボトム袋シールとに対して傾斜しており、
前記第１弁シールの先端と前記サイド袋シールを結ぶ第１補助シールが斜めに伸びており、
前記第２弁シールの先端と前記ボトム袋シールを結ぶ第２補助シールが斜めに伸びており、
前記規制シールは、前記第１補助シールと前記サイド袋シールとの交点よりも前記ボトム袋シール寄りの位置に配置され、且つ、前記第２補助シールと前記ボトム袋シールとの交点よりも前記サイド袋シール寄りの位置に配置されていることを特徴とする請求項３に記載の逆止弁付密閉用袋。
【発明の詳細な説明】
【技術分野】
【０００１】
本発明は、逆止弁付密閉用袋に関するものである。
【背景技術】
【０００２】
逆止弁付密閉用袋には、袋本体内の収納空間を略気密状態に密閉でき、収納空間に存在する空気などの各種の気体を袋外部に排出し、その状態を保持するために、逆止弁が用いられている。また、この逆止弁は、収納空間に各種の気体や液体を充填し、その状態を保持するために、収納空間と袋外部とを通気可能に繋ぐものであり、上記の気体の排出あるいは充填に当たって、気体の通過する空間である弁通路が開放及び閉鎖されることにより、一方向の気流の通過を許容し、他方向の気流を遮断する機能を果たすものである。【０００３】
（特許文献１について）
上記の密閉袋の一種として、特許文献１に示す圧縮袋が用いられている。この圧縮袋は、柔軟性を有する合成樹脂製のシートの所要箇所をヒートシールなどによって接着し、シートに囲まれた空間である収納部を備えた形成した袋体であり、収納部から気体を袋外部に排出し、その状態を保持するために逆止弁を備えている。この圧縮袋は、収納部に物品を出し入れするための開口部を備えており、この開口部には、開口部を密閉状態とするためのチャックなどの閉鎖手段が設けられている。【０００４】
この圧縮袋に関する先行技術文献としては、特許文献１を示すことができる。この特許文献１に係る圧縮袋は逆止弁を袋の両隅に設けたもので、逆止弁は内部と外部とが連続するように、柔軟性を有する樹脂製の外筒部シートを扁平な筒状とした外筒部と、外筒部の内部に設けられた、柔軟性を有する樹脂製の弁シートとを備える。弁シートは、密封状態の収納部から圧縮袋の外部へ向かう気流の通過を許容し、逆方向の気流を遮断するものであって、この逆止弁により、密封部を脱気した後も脱気状態が保たれる。【０００５】
これは、例えば衣類や毛布など、物品自体が空気を含んで体積が大きくなる物に対して特に有効であり、物品自体が含む空気を圧縮袋の外部に排出できるため、物品を収納した状態の圧縮袋をコンパクトなものとすることができる。そのため、この圧縮袋は、衣類などの保管袋や旅行用品の整理用袋として適している。【０００６】
しかし、この逆止弁は、収納部を構成する袋シートとは別に製造され、後に収納部を形成する際に組み込まれるものであるから、逆止弁を製造するラインと、逆止弁を袋本体に組み込むラインとをそれぞれ必要とし、圧縮袋の製造ラインや製造工程が複雑なものとなってしまうことを避けることができない。【０００７】
（特許文献２について）
一方、別の形態の圧縮袋としては、特許文献２に示す発明に関するものが存在する。これは、２枚の対向する袋シートの間に弁シートを挟みこんで、袋シート及び弁シートに所定形状のヒートシールを施すことによって、弁シートの長手方向に複数個の逆止弁を並べて形成したものである。この圧縮袋では、袋本体の製造工程中に逆止弁が一体に形成されるものであって、特許文献１の圧縮袋とは異なり１つの製造ラインで製造可能な利点がある。【０００８】
ところが、特許文献２に係る圧縮袋では、弁シートが配置された部分については物品を収納することができないものであり、袋シートの大きさに比べて収納部の大きさが小さくなってしまうことを避けることができなかった。言い換えれば、弁シートが配置された部分については、収納スペースとしては活用することができないデッドスペースとなっていた。
【先行技術文献】
【特許文献】
【０００９】
【特許文献１】登録実用新案第３０２５２３５号公報
【特許文献２】国際公開第２００５／６６０３２号パンフレット
【発明の概要】
【発明が解決しようとする課題】
【００１０】
本発明は、袋が膨らんだ状態でも逆止弁の機能に影響が生じ難く、収納の観点からは弁シートが存在する部分をデッドスペースとしてしまうことを抑制することができる構造を備えた密閉袋を提供することを課題とする。
【課題を解決するための手段】
【００１１】
本発明は、表袋シートと裏袋シートを備え内部が被収納物の収納空間となる袋本体と、前記袋本体に設けられた逆止弁とを備えた密閉用袋の改良に係る。本発明の密閉用袋おいては、前記表袋シートの下辺に沿って表弁シートが配置され、前記裏袋シートの下辺に沿って裏弁シートが配置される。前記表弁シートと前記裏弁シートは、前記表袋シート及び裏袋シートと同じ左右幅であって、それらの左右両辺及び下辺が前記表袋シートと前記裏袋シートと共に袋シールによって接合されている。
前記逆止弁は、前記表弁シートと前記裏弁シートとの間に流体の流路となる弁通路を備えている。前記弁通路の一端は前記袋本体の内部の収納空間へ開口した袋内開口となっており、前記弁通路の他端は前記袋本体の外部へ開口した袋外開口となっている。
前記逆止弁は、前記袋本体の下隅に配置されたものであって、弁シールによって前記弁通路の幅が規定されており、前記袋本体を膨らませた状態で、前記逆止弁を構成する部分を除いて、前記表弁シートが前記表袋シートに沿うと共に前記裏弁シートが前記裏袋シートに沿って、前記表弁シートと前記裏弁シートとの間が広がることにより、前記逆止弁を構成する部分を除いた前記表弁シートと前記裏弁シートとの間も前記収納空間となるように構成されたものである。
さらに望ましくは、前記袋内開口の上方に規制シールを備えたものとすることができる。前記袋本体が膨らんだ状態で、前記規制シールによって、前記表弁シートと前記裏弁シートとの間の開きが抑制され、且つ、前記袋本体の底部が前後に幅の有る底状に変形するように構成することができる。
前記弁シールは、前記表袋シートと前記裏袋シートと前記表弁シートと前記裏弁シートとの４枚をシールしたものであり、前記弁シールは、第１弁シールと、前記第１弁シールとの間に前記弁通路となる間隔を隔てて配置された第２弁シールとを備えたものとすることができる。
前記弁通路は、前記袋本体の外側へ開口した袋外開口を備えており、前記表袋シートと前記裏袋シートと前記表弁シートと前記裏弁シートとの４枚のシートの左右辺及び下辺同士は、前記弁通路の下端の前記袋外開口を除いて前記袋シールによってシールされている。
前記表弁シートの上辺は、その全長に渡って前記表袋シートに対して表弁固定シールによって固定されたものとし、前記裏弁シートの上辺は、その全長に渡って前記裏袋シートに対して裏弁固定シールによって固定されたものとすることができる。前記表弁シートの前記上辺と前記裏弁シートの前記上辺同士は、前記逆止弁の前記弁シール及び前記規制シールを除いてシールされていないものとすることができる。
また、前記袋シールは、前記袋本体の左右のサイドに沿って伸びるサイド袋シールと、前記袋本体の底に沿って伸びるボトム袋シールとを備えたものとして実施できる。この場合、前記第１弁シールと前記第２弁シールとは、前記サイド袋シールと前記ボトム袋シールとに対して傾斜しているものとすることができる。その際、前記第１弁シールの先端と前記サイド袋シールを結ぶ第１補助シールを、斜めに伸びるように形成できる。また前記第２弁シールの先端と前記ボトム袋シールを結ぶ第２補助シールを、斜めに伸びるように形成できる。そして前記規制シールは、前記第１補助シールと前記サイド袋シールとの交点よりも前記ボトム袋シール寄りの位置に配置され、且つ、前記第２補助シールと前記ボトム袋シールとの交点よりも前記サイド袋シール寄りの位置に配置されているものとすることができる。
【発明の効果】
【００１２】
本発明は、袋が膨らんだ状態でも逆止弁の機能に影響が生じ難く、収納の観点からは弁シートが存在する部分をデッドスペースとしてしまうことを抑制することができる構造を備えた密閉袋を提供することができたものである。
また、本発明の逆止弁付密閉袋は、袋本体と逆止弁とを１つのラインでも製造することができるものとして実施することができる。
【図面の簡単な説明】
【００１３】
【図１】第１の実施の形態に係る逆止弁付密閉袋を示すもので（Ａ）は要部平面図、（Ｂ）は（Ａ）のＢーＢ線断面におけるシート構造の説明図、（Ｃ）は（Ａ）のＣーＣ線断面におけるシート構造の説明図、（Ｄ）は（Ａ）のＤーＤ線断面におけるシート構造の説明図である。
【図２】（Ａ）は第１の実施の形態に係る逆止弁付密閉袋の平面図、（Ｂ）は第２の実施の形態に係る逆止弁付密閉袋の平面図、（Ｃ）は第３の実施の形態に係る逆止弁付密閉袋の平面図である。
【図３】逆止弁付密閉袋が膨らんだ状態の要部説明図である。
【図４】第２の実施の形態に係る逆止弁付密閉袋の変形例を示す要部平面図である。
【図５】（Ａ）は第４の実施の形態に係る逆止弁付密閉袋の要部平面図、（Ｂ）は第５の実施の形態に係る逆止弁付密閉袋の要部平面図である。
【発明を実施するための形態】
【００１４】
以下、図面に基づき本発明の実施の形態を説明する。
以下の実施の形態にあっては、密閉用袋１１の被収納物の出し入れ口を上として説明するが、本発明において前後、上下及び左右は相対的な位置関係を示すに止まり、絶対的な位置を特定したものと解釈すべきではない。
【００１５】
（密閉用袋の全体の構造）
図１及び図２（Ａ）に示す第１の実施の形態に係る密閉用袋１１は、袋本体１２と、袋本体１２の下端の左右いずれか一方又は双方に形成された逆止弁１４を備える。
【００１６】
袋本体１２は、通常の袋と同様、表袋シート２１と裏袋シート２２の２枚の袋シート２１，２２から構成されており、表袋シート２１と裏袋シート２２の間に形成される空間が被収納物入れるための収納空間１３となる。
この実施の形態に係る密閉用袋１１では、逆止弁１４を設けるために、袋シート２１，２２の下辺に沿って表弁シート３１と裏弁シート３２の２枚の弁シート３１，３２が配置されている。
【００１７】
密閉用袋１１の上辺は、被収納物の出し入れ口となる部分であって、出し入れ口を密閉状態で閉じるためのテープ状のチャック２５が表袋シート２１と裏袋シート２２に対してヒートシールなどによって接着されている。チャック２５は、二本が一組で一方には凸条が設けられ、他方にはこの凸条と嵌合する凹状が設けられた周知の形態として実施することができるし、密閉状態で閉じることができる他の開閉手段に変更して実施しても構わないし、例えば食品の販売用の袋として実施する場合にはチャック２５などの開閉手段を設けずに被収納物を収納した状態でヒートシールして閉じてしまうものであっても構わない。
【００１８】
表袋シート２１と裏袋シート２２は左右の両辺がサイド袋シール２３によって全長にわたって接合されている。表袋シート２１、表弁シート３１、裏弁シート３２及び裏袋シート２２の４枚のシートの下辺は、逆止弁１４の下端側の袋外開口１７を除いて、ボトム袋シール２４によって全長にわたって接合されている。
【００１９】
この実施の形態に係る密閉用袋１１は、衣類や寝具類などを収納して内部の空気を逆止弁１４から外部に排出させて減容するための圧縮袋として実施されたもので、この場合には逆止弁１４は袋内から外部への空気の通過を許し、外部から内部への侵入を止める逆止弁として機能することになり、上記の袋外開口１７は流出口となる。
他方、閉じられた密閉用袋１１の内部に逆止弁１４から空気が液体等の流体を強制的に送り込み、送り込まれた内部の流体が外部に流出することを防ぐための逆止弁１４として実施することもできる。
【００２０】
（弁シートについて）
表弁シート３１と裏弁シート３２の弁シートは、表袋シート２１と裏袋シート２２の袋シートに比べて、薄いシートであることが好ましい。袋シート２１，２２については、通常の合成樹脂製の収納袋と同様に、その使用目的に応じた強度や厚みや柔軟性が決定されるが、弁シート３１，３２については、密閉用袋１１の収納空間１３の内部と外部との気圧の変化などによって鋭敏に密着した状態と解放された状態が切り替わる必要があるため、薄くて柔軟性の高いシートであることが好ましい。具体的には袋シート２１，２２については４５〜７０μｍ程度のものが使用されるのに対して、弁シート３１，３２については２０〜４０μｍ程度のものが好適に使用される。
【００２１】
また、表弁シート３１と裏弁シート３２とが向かい合う面については、自己粘着性を持たせたフィルムを採用しておくことも好ましい。さらに、表弁シート３１と裏弁シート３２との間に、シリコンなどの粘着性のある液体を塗布しておいても構わない。
表弁シート３１と裏弁シート３２の左右の両辺については、サイド袋シール２３によって表袋シート２１と裏袋シート２２に接合されているものであって、表袋シート２１、表弁シート３１、裏弁シート３２及び裏袋シート２２の４枚のシートがサイド袋シール２３によって接合されている。
【００２２】
表弁シート３１と裏弁シート３２の下辺については、逆止弁１４の袋外開口１７を除いて、サイド袋シール２３によって表袋シート２１と裏袋シート２２に接合されているものであって、表袋シート２１、表弁シート３１、裏弁シート３２及び裏袋シート２２の４枚のシートがボトム袋シール２４によって接合されている。
【００２３】
このように表弁シート３１と裏弁シート３２は、左右両辺と下辺が表袋シート２１と裏袋シート２２に対して、ヒートシール等によるサイド袋シール２３とボトム袋シール２４によって互いに接合されている。他方、表弁シート３１と裏弁シート３２の上辺については、逆止弁１４を形成するためのシールを除いて、互いに接合されていない。このように、表弁シート３１の上辺は表弁固定シール２６によって表袋シート２１に対してのみ接合され、裏弁シート３２の上辺は裏弁固定シール２７によって裏袋シート２２に対してのみ接合されているものであって、表弁シート３１と裏弁シート３２の上辺同士は接合されていないため、表弁シート３１と裏弁シート３２は、それぞれ表袋シート２１と裏袋シート２２に沿った状態となる。その結果、表袋シート２１と裏袋シート２２との間が広がると、表弁シート３１と裏弁シート３２との間も広がって収納空間１３の一部を構成することになる。
【００２４】
（逆止弁について）
逆止弁１４は、サイド袋シール２３寄りの位置に設けられたもので、第１弁シール４１、第２弁シール４２、規制シール４３、第１補助シール４４、第２補助シール４５によって、袋シート２１，２２及び弁シート３１，３２を部分的に接合することによって形成されている。これらのシールは、表弁シート３１と裏弁シート３２とを接合するだけであっても逆止弁機能は発揮されるが、表袋シート２１、裏袋シート２２、表弁シート３１及び裏弁シート３２の4枚のシートを全て接合してしまう方が製造工程の簡略化の点からは有利である。
【００２５】
（弁シール）
まず第１弁シール４１と第２弁シール４２は、弁通路１５を規定するためのシールであり、収納空間１３内の空気などの流体は、第１弁シール４１と第２弁シール４２とによって両側が接合された状態の表弁シート３１と裏弁シート３２との間を通って、外部へ流出する。言い換えれば、第１弁シール４１と第２弁シール４２とは、弁通路１５となる間隔を隔てて配置されている。この例では、第１弁シール４１と第２弁シール４２は互いに略平行な直線状であるが、互いに傾斜していたり、湾曲したりしても構わない。
【００２６】
弁通路１５の上端は、袋内開口１６として収納空間１３の内部に開口しており、弁通路１５の下端は、袋外開口１７として密閉用袋１１の外部に開口している。この例では、逆止弁１４は、収納空間１３の内部の流体を外部に通過させ、外部からの流体の侵入を禁止する逆止弁として実施されているため、袋内開口１６が弁通路１５への流入口となり、袋外開口１７が外部への流出口となる。
【００２７】
（補助シール）
補助シールは、収納空間１３の内部の流体を、スムーズに弁通路１５の袋内開口１６へ導くために２枚の袋シート２１，２２同士、又は袋シート２１，２２と弁シート３１，３２の4枚のシートを接合したものである。具体的には、第１補助シール４４が第１弁シール４１の上端とサイド袋シール２３との間に形成され、第２補助シール４５が第２弁シール４２の上端とボトム袋シール２４との間に形成されている。この第１補助シール４４の存在によって、流体の排出時に、第１弁シール４１とサイド袋シール２３との間に流体が入り込んでしまって弁通路１５における表弁シート３１及び裏弁シート３２に無用な緊張をもたらすことを防止することができる。また第２補助シール４５の存在によって、流体の排出時に、第２弁シール４２とボトム袋シール２４との間に流体が入り込んでしまって弁通路１５における表弁シート３１及び裏弁シート３２に無用な緊張をもたらすことを防止することができる。
【００２８】
より具体的には、第１補助シール４４は、第１弁シール４１とは逆向きに傾斜して、斜め上方に伸びている。言い換えれば、第１弁シール４１の上端から上方に向かうに従ってサイド袋シール２３に近づくように第１補助シール４４が伸びているため、スムーズ流体を袋内開口１６へ導くことができる。また第２補助シール４５は、第２弁シール４２とは逆向きに傾斜して、斜め下方に伸びている。言い換えれば、第２弁シール４２の上端から下方に向かうに従ってサイド袋シール２３に近づくように第１補助シール４４が伸びているため、スムーズ流体を袋内開口１６へ導くことができる。
【００２９】
（規制シール）
袋内開口１６よりも上方には規制シール４３が形成されている。この規制シール４３が形成されることによって、袋本体１２が膨らんだ状態で、表袋シート２１と裏袋シート２２との間の開きが抑制される。その結果、図３に示すように、規制シール４３と袋内開口１６との間の導入部領域４６も含めて、逆止弁１４を構成する表袋シート２１と裏袋シート２２との間の開き並びに表弁シート３１と裏弁シート３２との間の開きが抑制される。従って、これらのシートが重ねられた状態が維持されて、逆止弁効果が安定して発揮され、袋の膨らみが逆止弁１４の閉鎖機能に悪影響を与えることを抑止することができる。
【００３０】
しかも、袋本体１２が膨らむ時、規制シール４３が中間の基準となって膨らむため、前記袋本体の底部は、前後に幅の有るいわゆる舟形状の底状に変形する。すなわち袋本体の底部にマチがあるのに近い舟形に膨らみ易くなり、立体形状に膨らみ易くなる。
【００３１】
（規制シールの位置）
図１及び図２（Ａ）に示す実施の形態にあっては、弁シート３１，３２端を超えた位置に規制シール４３が設けられており、規制シール４３は袋シート２１，２２の２枚のシートをヒートシールしているに過ぎない。
図２（Ｂ）に示す実施の形態にあっては、弁シート３１，３２の端寄りに規制シール４３が設けられており、規制シール４３は、その全体が袋シート２１，２２と弁シート３１，３２の４枚のシートをヒートシールしている。
図２（Ｃ）に示す実施の形態にあっては、弁シート３１，３２の端に規制シール４３が設けられており、規制シール４３の一部分は袋シート２１，２２と弁シート３１，３２の４枚のシートをヒートシールしているが、規制シール４３の他の一部分は袋シート２１，２２の２枚のシートをヒートシールしているに過ぎない。
【００３２】
このように規制シール４３は、袋シート２１，２２と弁シート３１，３２の４枚のシートをヒートシールしているものであっても構わないし、規制シール４３の他の一部分は袋シート２１，２２の２枚のシートをヒートシールしているものであっても構わない。
規制シール４３は、第１補助シール４４とサイド袋シール２３との交点よりも下方（即ちボトム袋シール２４寄りの位置）に配置されていることが望ましい。また、規制シール４３は、第２補助シール４４とボトム袋シール２４との交点よりもサイド袋シール２３寄りの位置（図１（Ａ）では右側）に配置されていることが望ましい。
【００３３】
（規制シールの個数と形状）
規制シール４３は図４に示すように、複数個を設けるようにして、実施することもできる。またその形状も、円形のポイント状の他、線状のものであっても構わない。
【００３４】
（弁通路の伸びる方向）
図１の例では弁通路１５（言い換えれば第１弁シール４１及び第２弁シール４２）は、サイド袋シール２３及びボトム袋シール２４に対して傾斜しており、密閉用袋１１の底部の左右端から、斜め上方に向けて伸びるものとして実施されている。このように傾斜させることによって、逆止弁１４が、縦方向及び横方向のいずれかの方向だけに対して、長くなってしまうことを防ぐことができる。
【００３５】
具体的には、図５（Ａ）に示すように真上に伸びるものであっても構わないし、図４（Ｂ）に示すように真横に伸びるものであっても構わない。これらの場合、弁通路１５を形成するための２本の弁シール４０の内の一方は、サイド袋シール２３又はボトム袋シール２４と共用するものであっても構わない。ただし、共用した場合には、袋本体１２が膨らむ際に袋の変形の影響が弁通路１５に及び易くなるため、第１弁シール４１と第２弁シール４２の２本の弁シールを設けて、これらが斜めに伸びる形態としておく方が望ましい。
【００３６】
また、袋外開口１７については、ボトム袋シール２４の一部に開口を設けて密閉用袋１１の底部に開口するものでも構わないし、サイド袋シール２３の一部に開口を設けて密閉用袋１１の側部に開口するものでも構わないし、その両方に開口するもの（即ち、コーナーに開口するもの）でも構わない。
【００３７】
（本発明の適用例）
本発明は衣料品や寝具などの種々の物品の包装や圧縮した収納に用いることができる圧縮袋として実施することができるほか、食品を収納して内部の空気を外部へ排出して保管するために用いるものとしても実施することができるし、その大きさや形状についても住所変更して実施することができる。
【００３８】
例えば図２（Ｂ）の例では、吊り下げの販売が便利なように、上部に吊り下げ用の穴１８を設けた袋の底部に逆止弁１４を設けたものである。
図２（Ｃ）の例は、上記と同様の吊り下げ用の穴18を上部に設けたものではあるが、袋の左右一方のサイドに開封用のチャック２５を設けて、他方のサイド（図では上下）に逆止弁１４を設けたものである。
なお、ヒートシールは、金型による熱溶着の他、超音波などの他の溶融接着手段や、接着剤による接着など、他の接合手段に変更して実施することができる。
このように本発明は種々変更して実施することができる。
【符号の説明】
【００３９】
１１  密閉用袋
１２  袋本体
１３  収納空間
１４  逆止弁
１５  弁通路
１６  袋内開口
１７  袋外開口
１８  吊り下げ用の穴
２１  表袋シート
２２  裏袋シート
２３  サイド袋シール
２４  ボトム袋シール
２５  チャック
２６  表弁固定シール
２７  裏弁固定シール
３１  表弁シート
３２  裏弁シート
４０  弁シール
４１  第１弁シール
４２  第２弁シール
４３  規制シール
４４  第１補助シール
４５  第２補助シール
４６  導入部領域
【要約】
袋が膨らんだ状態でも逆止弁の機能に影響が生じ難く、収納の観点からは弁シートが存在する部分をデッドスペースとしてしまうことを抑制することができる構造を備えた密閉袋の提供を図る。表袋シート２１と裏袋シート２２の間に表弁シート３１と裏弁シート３２が配置される。表弁シート３１と裏弁シート３２とはシールされておらず、両シートの間も収納空間として機能する。逆止弁１４は、弁シール４１、４２の上方に規制シール４３を備えることで、袋の膨らみが逆止弁１４の閉鎖機能に悪影響を与えることを抑止する。【図１】
0006632109.tif 000002
【図２】
0006632109.tif 000003
【図３】
0006632109.tif 000004
【図４】
0006632109.tif 000005
【図５】
0006632109.tif 000006